(57)【特許請求の範囲】
【請求項１】
可動に取り付けられた家具部分または可動に取り付けられた家具装着具の家具装着部品を緩衝するための家具ダンパを備えた家具ヒンジであって、
前記家具ダンパは、流体チャンバ内に配置されたピストンを含んでおり、緩衝作用は、前記流体チャンバと前記ピストンとの間の相対的運動によって実行され、
前記家具ダンパは、前記流体チャンバを封止するための封止装置をさらに含んでおり、該封止装置は、第１の受具要素と、該第１の受具要素に対して可動に取り付けられており、前記流体チャンバを封止するように設計された第２の受具要素とを有しており、該第２の受具要素は、前記ピストンに対して可動に取り付けられており、
前記第１の受具要素と前記第２の受具要素との間には、バネが配置されており、
前記家具ヒンジは、家具枠体に装着されることになる装着部を含んでおり、
前記家具ヒンジは、前記家具部分を固定するために、前記装着部にヒンジ式に接続されたヒンジカップをさらに含んでおり、取付位置において、前記家具ダンパは前記ヒンジカップ内に略完全に配置されており、
該バネ（２６）は、前記第１の受具要素（２７）と前記第２の受具要素（２８）との相対的運動によって、前記バネのほぼ断面厚にまで圧縮されることを特徴とする家具ヒンジ。
【請求項２】
前記バネ（２６）は、円錐らせんバネであることを特徴とする請求項１記載の家具ヒンジ。
【請求項３】
前記バネ（２６）は、前記ピストン（２２）または該ピストン（２２）に接続されたピストンロッド（１７）が内部に配置された中央開口部を有することを特徴とする請求項１または２記載の家具ヒンジ。
【請求項４】
前記第１の受具要素（２７）は、前記バネ（２６）の取り付け状態において、前記バネ（２６）の第１の端部が接する接触面を有することを特徴とする請求項１から３のいずれか１項に記載の家具ヒンジ。
【請求項５】
前記流体チャンバ（２１）は、開口端を有しており、前記第１の受具要素（２７）は、前記流体チャンバ（２１）の前記開口端を閉鎖するためのカバープレートの形態であることを特徴とする請求項１から４のいずれか１項に記載の家具ヒンジ。
【請求項６】
前記第２の受具要素（２８）は、前記バネ（２６）の取り付け状態において、該バネ（２６）の第２の端部が接触する接触面を有することを特徴とする請求項１から５のいずれか１項に記載の家具ヒンジ。
【請求項７】
前記第２の受具要素（２８）は、取り付け状態において、前記ピストン（２２）若しくは該ピストン（２２）に接続されたピストンロッド（１７）に接するか、および／または前記流体チャンバ（２１）のハウジング壁に接する封止リップ部（３１、３２）を備えた封止要素（２９）を有することを特徴とする請求項１から６のいずれか１項に記載の家具ヒンジ。
【請求項８】
前記流体チャンバ（２１）に対する前記ピストン（２２）による緩衝ストローク運動の終了時に、前記ピストン（２２）は、第１の端位置をとり、
前記流体チャンバ（２１）に対する前記ピストン（２２）の相対的位置は、前記バネ（２６）によって、前記第１の端位置から離れた準備位置へと移動可能であることを特徴とする請求項１から７のいずれか１項に記載の家具ヒンジ。
【請求項９】
前記家具ダンパ（９）は、前記装着部（５）と前記ヒンジカップ（６）が既にヒンジ式に接続されているとき、上方から前記ヒンジカップ（６）へと挿入でき、かつ、前記ヒンジカップ（６）内に収容でき、前記家具ダンパ（９）は、前記取り付け位置において、協調的固定手段（１１ａ、１１ｂ）によって前記ヒンジカップ（６）に接続できることを特徴とする請求項１から８のいずれか１項に記載の家具ヒンジ。
【発明の詳細な説明】
【技術分野】
【０００１】
本発明は、可動に取り付けられた家具部分または可動に取り付けられた家具装着具の家具装着部品を緩衝するための家具ダンパを備えた家具ヒンジに関する。
【背景技術】
【０００２】
この家具ダンパは、流体チャンバ内に配置されたピストンを含んでおり、緩衝作用は、流体チャンバとピストンとの間の相対的運動によって実行され、この家具ダンパは、流体チャンバを封止するための封止装置をさらに含んでおり、封止装置は、第１の受具要素と、第１の受具要素に対して可動に取り付けられており、流体チャンバを封止するように設計された第２の受具要素とを有しており、第１の受具要素と第２の受具要素との間には、バネが配置されている。
【０００３】
可動に取り付けられた家具部分を緩衝するための家具ダンパを有する家具装着具において、緩衝作用が流体チャンバ内のピストンの運動によって実行されることは、特許文献１において開示されており、可動に取り付けられた封止部は、流体チャンバの端部プレートに接するバネによって作用される。このバネは、この場合、可動に取り付けられた封止部をガイドするために作用し、封止部と端部プレートの両方に対する突出部によって保持されている。中間領域では、できるだけ安定して封止部をガイドするよう、バネは、一定の断面であり、内部に流体チャンバが配置されているハウジングの内部全体を占めている。このような家具装着具の欠点は、バネと突出部が多大なスペースを占め、封止部の移動範囲が制限され、よって、十分なスペースがある大型の家具装着具での使用しか想定できないことである。可動に取り付けられた封止部の利点は、特許文献２において解説されているように、この点において、どの種類の家具装着具にも利用できるわけでない。
【先行技術文献】
【特許文献】
【０００４】
【特許文献１】国際公開第２００９／００３４５８号パンフレット
【特許文献２】英国特許第５６５６３０号明細書
【発明の概要】
【発明が解決しようとする課題】
【０００５】
従って、本発明の目的は、本明細書の当初にて言及したような、前述の欠点を回避する家具ダンパを提供することである。
【課題を解決するための手段】
【０００６】
本発明の目的は、請求項１の特徴を有する家具ダンパによって達成される。
【０００７】
本明細書の当初で言及したような家具ダンパは、封止装置の、相対的に可動に取り付けられた受具要素が、緩衝ストローク運動自体のための追加的スペースを提供し、流体チャンバとピストンとの間の相対的運動が発生するとき、緩衝プロセス中の容積補償として作用し、この場合、例えばシリコーンオイルなどの緩衝液としての流体は、流体チャンバの第１の領域から流体チャンバの第２の領域へと開口部を通って圧縮される。緩衝作用は、従来式の流体ダンパと同様に、開口部を通過することによる流体の移動に対する抵抗によって発生する。第１および第２の受具要素は、受具要素間に配置されたバネによって作用され、受具要素の相対的運動の結果、バネの圧縮または延伸が発生し、相対的に可動に取り付けられた受具要素は、それらの始動位置へと再び戻される。
【０００８】
さらに、緩衝プロセスの始めと終わりは、バネ搭載封止装置によって、がたつきが少なく穏やかに開始されることができる。緩衝作用中に発生する緩衝力によって提供される、ダンパ自体の緩衝作用の特性曲線は、可動に取り付けられた封止部によってより滑らかになる。
【０００９】
本発明によれば、バネは、第１の受具要素と第２の受具要素との間でほぼバネまたはバネコイルの断面厚にまで圧縮され、よって、従来技術の家具ダンパと比較して、家具ダンパの同一構造サイズでさらに長い緩衝工程が得られ、あるいは全体的な構造的サイズが減少し、可動に取り付けられた封止部によって、追加の補償容積が提供され、この容積は、バネの中立位置からの延伸と圧縮によって提供され、第１と第２の受具要素は、本発明のバネの性質のおかげでより少ない相互スペースへ圧縮可能である。この結果、封止装置の構造的高さは従来のものよりも低くなる。バネまたはバネコイルの断面厚は、そこからバネまたはバネコイルが作られるバネワイヤまたはバネ片の断面径を意味する。
【００１０】
さらに、追加的に利用できる補償スペースの容積は、バネ荷重の利益がなくても、本発明のバネによって最大にすることができる。
【００１１】
本発明のさらなる利点や形態は、従属請求項に定義されている。
【００１２】
本発明の特に好適な実施態様では、バネは、円錐らせんバネである。円錐らせんバネは、バネの長手方向軸に垂直な平面へのスプリングコイルの突出がらせん状であることを特徴とする。円錐らせんバネの圧縮によってバネコイルは、圧縮されたバネがらせんを形成するように一方が他方の中に配置されることができ、よって圧縮されたバネの縦方向の長さがバネまたはバネコイル断面厚にほぼ対応する。円錐バネの個々のコイルは、らせん形態であり、したがって直径が増加する。バネが圧縮されたとき、より小さな直径のコイルは、より大きな直径のコイル内に押し込まれる。バネをその断面厚へと圧縮すると、全てのコイルが、円錐バネの基部に配置されている最も大きな直径のコイル内に押し込まれる。バネの断面厚は、ここでは最も大きなコイル直径のバネワイヤまたはバネ片の断面直径によって提供される。
【００１３】
家具ダンパの取り付け状態において、バネコイルがピストンまたはピストンロッド周辺に配置されるよう、バネが、その中にピストンまたはピストンに接続されたピストンロッドを配置させる中央開口部を有することが好ましい。このように、バネは、第１受具要素の第２受具要素に対する運動中に、ピストンまたはピストンロッドによってガイドされる。
【００１４】
本発明の別な実施態様では、第１の受具要素は、バネの取り付け状態において、バネの第１端部が接する接触面を有しており、よってバネは、第１の受具要素に支持される。このように、バネを固定するため、受具要素は、多大なスペースを要する突出部を無くすことができる。さらに、またはあるいは、第２の受具要素は、バネの取り付け状態において、バネの第２の端部が接する受具面を有することができ、よってバネは、第２の受具要素に支持される。このように、第２の受具要素に、多大なスペースを必要とするバネを取り付けるための突出部を必要としない。受具要素は、受具面を介してバネによって作用される。受具要素の相対的運動は、受具要素の受具面を介してバネに伝えられる。
【００１５】
緩衝プロセス中、流体チャンバとピストンとの間の相対的運動が受具要素に伝えられ、それらが互いに相対運動することでバネが受具要間にて圧縮される。この点で、バネは、最大の緩衝ストローク運動の結果、第２と第１の受具要素が相対的に最小のスペースをとり、受具要素間に配置されたバネは、ほぼバネまたはバネコイルの断面厚にまで圧縮されるような設計になっている。その結果、バネは、その中立位置にまで再び伸び、その運動を受具要素に伝え、バネは、互いから再びより大きなスペースをとり、それらの始動位置へと戻る。
【００１６】
本発明の別な実施態様では、第２の受具要素は、取り付け状態ではピストンまたはピストンに接続されたピストンロッドに接し、追加的にまたは代わりに、流体チャンバを囲むハウジングの壁部に接することで流体チャンバを封止する、封止リップ部を有する封止要素を有する。この場合、完全な封止が流体チャンバ内の流体がそこから漏れるのを防止する。好適には、流体チャンバは、開端部を有するハウジングによって囲まれている。封止装置、特に封止リップ部を備えた封止要素によって提供されるこの完全な封止が、開端部に対して流体チャンバを閉鎖させる。
【００１７】
本発明は、前述の家具ダンパを有する家具ヒンジにも関する。
【００１８】
この点で、家具部分を固定するため、家具ヒンジが、家具枠体に装着されることになる装着部と、それにヒンジ式に接続されたヒンジカップを有することが望ましく、取り付け位置では、家具ダンパは、ほぼ完全にヒンジカップ内に配置される。あるいは、家具ダンパは、上方からヒンジカップ内へと装着され、ヒンジカップ内に配置されることもできる。この場合、装着部材とヒンジカップとをヒンジ式に接続させておくこともできる。家具ダンパを、協調的固定手段によって、その取り付け位置で、ヒンジカップに接続することができる。
【００１９】
ヒンジカップは、家具枠体の側壁内か、家具枠体を閉じる扉内に配置されているため、ヒンジカップ内のスペースは、一般的に非常に小さい。ヒンジカップ内に配置されている家具ダンパの利点は、ダンパの構造が家具枠体内でスペースを占有しないことである。しかしながら、ヒンジカップ内に配置される家具ダンパでは、使用される部材のサイズに関して非常に高度な要求がなされる。このため、第１および第２の受具要素の間に、バネがバネのほぼ断面厚にまで圧縮されるバネを有する本発明による家具ダンパは特に有利である。
【００２０】
本発明は、さらに、可動に取り付けられた家具部分、または家具装着具の可動に取り付けられた家具装着部材の運動を緩衝するための家具ダンパに関し、この家具ダンパは、流体チャンバ内に配置されたピストンを含んでおり、緩衝作用は、流体チャンバとピストンとの間の相対的運動によって実行され、流体チャンバを封止するための封止装置をさらに含んでおり、封止装置は、第１の受具要素と第１の受要素に対して可動に取り付けられており、流体チャンバを封止するように設計された第２の受具要素とを有しており、ピストンは、流体チャンバに対する緩衝ストローク運動の端部にて第１の端位置をとり、流体チャンバに対するピストンの相対的位置を端位置から離れた準備位置へと移動可能にする戻りバネが提供されており、戻りバネは、第１の受具要素と第２の受具要素との間に配置されている。
【００２１】
この場合の家具ダンパは、前述の形態であり、第１と第２の受具要素の相対的位置の戻り運動に貢献し、第１と第２の受具要素間に配置されたバネは、流体チャンバに対するピストンの相対的位置を戻すようにさらに貢献する。この場合、第１と第２の受具要素間に配置されたバネは、流体チャンバに対するピストンの相対的位置を戻すように貢献する別の戻りバネを支持するか、または完全に代用する。
【００２２】
最後に述べた場合では、第１と第２の受具要素間に配置されたバネは、受具要素が戻されるだけでなく、新規な緩衝プロセスのため、家具ダンパが使用のために準備されるよう、緩衝プロセスの終了後に、流体チャンバに対するピストンの相対的位置も準備位置に戻されるようなバネ定数を有しなければならない。この点において、第１および第２の受具要素の相対的運動によって、バネは、バネのほぼ断面厚にまで再び圧縮できるようになっている。
【００２３】
本発明は、さらに、前述の戻りバネを備えた家具ダンパを有する家具ヒンジに関する。特定実施態様では、この家具ヒンジは、家具部分を固定するため、家具枠体に装着されることになる装着部と、それにヒンジ式に接続されたヒンジカップとを有する。この場合、装着部と、ヒンジカップとがヒンジ式に接続されるとき、取り付け位置において、家具ダンパは、ほぼ完全にヒンジカップ内に配置されるか、または上方からヒンジカップへと挿入され、ヒンジカップ内に配置されることができる。家具ダンパは、協調的固定手段によってその取り付け位置でヒンジカップに接続されることができる。
【００２４】
本発明のさらなる詳細や利点は、図面を参考にした詳細な説明によって以下でより詳細に説明される。
【図面の簡単な説明】
【００２５】
【図１】図１は、家具ヒンジによって家具枠体に対して旋回式に取り付けられた扉を備えた家具の斜視図である。
【図２ａ】図２ａは、ヒンジカップ内に配置される家具ダンパを備えた家具ヒンジの斜視図である。
【図２ｂ】図２ｂは、ヒンジカップ内に配置される家具ダンパを備えた家具ヒンジの斜視図である。
【図３ａ】図３ａは、家具ダンパの分解図である。
【図３ｂ】図３ｂは、家具ダンパのスライダの拡大詳細図である。
【図３ｃ】図３ｃは、家具ダンパを下方から見たときの拘束要素の斜視図である。
【図４ａ】図４ａは、流体チャンバに対するピストンの多様な位置における家具ダンパの長手方向の断面斜視図である。
【図４ｂ】図４ｂは、流体チャンバに対するピストンの多様な位置における家具ダンパの長手方向の断面斜視図である。
【図５ａ】図５ａは、緩衝プロセス中における別の段階での図４ａの状態を示している。
【図５ｂ】図５ｂは、緩衝プロセス中における別の段階での図４ｂの状態を示している。
【図６ａ】図６ａは、ヒンジカップ内に一体化された家具ダンパを備えた家具ヒンジの斜視図である。
【図６ｂ】図６ｂは、ヒンジカップ内に一体化された家具ダンパを備えた家具ヒンジの詳細図である。
【図７】図７は、ヒンジカップ内に一体化された家具ダンパの長手方向の断面における拡大斜視図である。
【図８ａ】図８ａは、家具ダンパの長手方向の断面平面図である。
【図８ｂ】図８ｂは、家具ダンパの長手方向の拡大詳細図である。
【図９ａ】図９ａは、緩衝プロセス中の別の段階での図８ａの状態を示している。
【図９ｂ】図９ｂは、緩衝プロセス中の別の段階での図８ｂの状態を示している。
【図１０ａ】図１０ａは、緩衝プロセス中のさらに別の段階での図８ａの状態を示している。
【図１０ｂ】図１０ｂは、緩衝プロセス中のさらに別の段階での図８ｂの状態を示している。
【図１１ａ】図１１ａは、本発明による円錐らせんバネの多様な形態図である。
【図１１ｂ】図１１ｂは、本発明による円錐らせんバネの多様な形態図である。
【図１１ｃ】図１１ｃは、本発明による円錐らせんバネの多様な形態図である。
【図１１ｄ】図１１ｄは、本発明による円錐らせんバネの多様な形態図である。
【図１１ｅ】図１１ｅは、本発明による円錐らせんバネの多様な形態図である。
【発明を実施するための形態】
【００２６】
図１は、家具１の斜視図であり、扉３ａの形態の可動家具部分３は、複数の家具ヒンジ４によって、家具枠体２に対して旋回式に取り付けられている。知られた形態では、家具ヒンジ４は、フレーム２ａに固定される装着部５と、装着部５に旋回式に接続されたヒンジカップ６を有する。ヒンジカップ６の空洞部には、それぞれの家具ダンパ（ここでは図示せず）が取り付けられており、それによって完全閉端位置への家具ヒンジ４の閉動作が緩衝される。可動家具部分３のそれぞれのサイズや重量に応じて、家具ダンパの緩衝力は適切に適応できない。すなわち過剰に大きい緩衝力の場合には、可動家具部分３は、極端にゆっくりと完全閉位置へと移動するか、全く移動しない。このため、家具ダンパの緩衝作用は、ロック装置によって完全に脱活性化される。この点において、例えば、第１の家具ヒンジ４の緩衝作用が完全に脱活性化され、第２の家具ヒンジ４が、可動家具部分３の完全閉位置への所望の緩衝された閉動作を可能にする活性化した緩衝作用を提供することが望ましい。
【００２７】
図２ａは、家具ヒンジ４の斜視図であり、ヒンジカップ６は、少なくとも一本のヒンジレバー７によってヒンジアーム５ａの形態の装着部５に旋回式に接続されている。家具ヒンジ４は、バネ装置８によって完全閉位置および／または完全開位置へと移動される。端位置へのバネ補助された運動を緩衝するため、ハウジング１２と、それに対して可動なスライダ１３とを有する家具ダンパ９が提供される。家具ダンパ９は、工場で既にヒンジカップ６の空洞部１０内に装着されているか、あるいは、装着部５とヒンジカップ６を組立て、家具ダンパ９を上方からヒンジカップ６へと後付けしてヒンジカップ６内に配置することができ、この場合、家具ダンパ９は、その取り付け位置において協調固定手段１１ａと１１ｂによって解除可能に接続されることができる。図示の実施例では、家具ダンパ９は、ヒンジカップ６内に配置された、固定手段１１ｂに解除可能に接続できるガイド溝の形態で、固定突出部の形態の第１の固定手段１１ａを有する。家具ダンパ９は、導入開口部１４を有しており、そこを通って固定突出部１１ｂがガイド溝１１ａに配置できる。緩衝機能を脱活性化させるため、家具ダンパ９は、スイッチ部材の形態の移動可能な拘束要素１５ａを備えたロック装置１５を有し、それによってスライダ１３が完全に押し込まれた位置で解除可能に拘束できる。
【００２８】
図２ｂは、取り付け位置にある家具ダンパ９を備えた家具ヒンジ４の斜視図である。家具ダンパ９は、ヒンジカップ６の空洞部１０内に完全に配置されている。家具ヒンジ４の閉動作では、ヒンジレバー７がスライダ１３と接触することで、緩衝プロセスが開始される。さらなる閉動作の間、スライダ１３は、ハウジング１２に対して完全閉位置へと押し込まれ、そこでロック装置１５によってその端位置が解除可能に拘束される。スライダ１３は、もはや拘束位置に戻ることはできず、したがって、この場合は、緩衝作用は、脱活性化される。
【００２９】
図３ａの分解図では、家具ダンパ９は、ハウジング１２と、それに対して移動可能なスライダ１３とを有する。家具ダンパ９は、線形ダンパの形態であり、ハウジング１２に接続されるピストンロッド１７を含んでいる。よって、この実施例では、ピストンロッド１７（およびピストンロッド１７に接続されたピストン）は、取り付け位置に静止状態に配置されており、スライダ１３内に提供された流体チャンバが静止状態のピストンロッド１７に対して可動である。スライダ１３は、スライド式くさび部材の形態であり、家具ヒンジ４の所定の相対的位置から、ヒンジレバー７（図２ｂ）によって作用可能な、傾斜した受面１６を有する。
【００３０】
スライダ１３の内部には、ピストンロッド１７を備えた少なくとも一つのピストン（ここでは図示せず）がその内部に移動可能に取り付けられた、少なくとも一つの流体チャンバが提供されている。ガイド溝の形態の固定手段１１ａが両側に明確に図示されており、これによってスライダ１３は、ヒンジカップ６の固定突出部１１ｂに対する緩衝ストローク運動中に移動可能となる。固定突出部１１ｂは、導入開口部１４を通ってガイド溝１１ａに配置することができる。ハウジング１２は、それにピストンロッド１７が固定される取付部１８を有する。スライダ１３の上には、スイッチ１５ａに配置された第２の固定要素に対するスライダ１３の押込み端位置に固定されることができる、第１の固定要素１９が配置されている。
【００３１】
図３ｂは、スライダ１３の拡大詳細図であり、その上には、弾性舌部の形態である第１の固定要素１９が提供されている。図３ｃは、スイッチの形態の拘束要素１５ａを下方から見た斜視図である。拘束要素１５ａの下側には、第２の実質的に剛質な固定要素２０が配置されており、それによってスライダ１３の第１の固定要素１９が、スライダ１３の完全押込み端位置に固定される。
【００３２】
図４ａは、家具ダンパ９の長手方向の斜視断面図である。図示の実施例では、静止状態に配置された、ピストンロッド１７を備えたピストン２２が取り付けられた流体チャンバ２１を内部に含んだスライダ１３が図示されている。家具ヒンジ４の閉動作では、ヒンジレバー７（図２ｂ）は、スライダ１３の傾斜受面１６と接し、よってスライダ１３は、静止ピストン２２に対して移動可能となる。
【００３３】
スライダ１３のハウジングは、カバープレートの形態である第１の受具要素２７によって閉じられる開端部を有する。第１の受具要素２７は、ピストンロッド１７のための開口部を有している。円錐らせんバネの形態のバネ２６は、ピストンロッド１７の周囲に配置されている。バネ２６の第１の端部は、第１の受具要素２７の受面に接し、この場合は、第１の受具要素２７上で支持されている。バネ２６のさらに狭い第２の端部は、第１の受具要素２７の受面に接し、そこで支持されている。第２の受具要素２８は、外側封止リップ部３１と内側封止リップ部３２とを有する封止要素２９を有している。外側封止リップ部３１は、スライダ１３のハウジング壁の領域内で流体チャンバ２１を封止するように作用し、そこに接する。内側封止リップ部３２は、ピストンロッド１７の領域内で流体チャンバ２１を封止するように作用し、この目的のためにそこに接する。
【００３４】
図４ｂは、図４ａの長手方向での平面断面図であり、封止リップ部３１と３２が概略的に図示されている。ピストンロッド１７とスライダ１３の壁部がなければ、封止要素２９は、外側および内側封止リップ部３１と３２を備えて、図示の形状となり、すなわち、流体チャンバ２１内に実際に存在するスペースよりも僅かに大きな外側寸法の形状をとるであろう。取り付け位置では、弾性的または、変形可能な封止要素２９のおかげで、外側封止リップ部３１は、ハウジング壁によって内側に押し込まれ、内側封止リップ部３２は、ピストンロッド１７によって外側に押し込まれる。これによって、流体チャンバ２１とスライダ１３それぞれの同時的な封止と共に、第２の受具要素２８と封止要素２９との移動性が提供される。この場合、封止要素２９は、例えば接着剤などで第２の受具要素２９に固定されるか、またはそこにネジ止めされる。
【００３５】
図４ａと図４ｂは、ヒンジレバー７による緩衝プロセスの開始前の家具ダンパ９を図示している。家具ダンパ９は、準備位置にある。この場合、流体チャンバ２１のピストン２２の左側の領域に配置されている流体は、ピストン２２の右側の領域へと開口部を通って付勢され、これによって、緩衝効果が発生する。外側および内側封止リップ部３１と３２を備えた封止要素２９は、第１と第２の受具要素２７と２７間の追加的な補償スペース３３へと流体が流れるのを防止する。この追加的な補償スペース３３は、追加的な緩衝ストローク運動として機能し、バネ２６によってさらに穏やかで正確な緩衝作用を提供する。発明を明確にするため、図４ａでは、図示されていない戻りバネ３０は、第２の受具要素２７に作用し、緩衝作用が発生した後でスライダ１３を再び戻すように作用する。
【００３６】
図５ａと図５ｂは、家具ダンパ９を斜視図（図５ａ）と縦方向の断面平面図（図５ｂ）で再び示している。図示の部品は、図４ａと図４ｂのものと対応している。図５ａと図５ｂに示す状態では、スライダ１３は、ピストン２２に対してほぼ完全にその端位置に存在している。ピストン２２による緩衝ストローク運動は、ほぼ終了している。まだ得られる緩衝ストローク運動に加えて、一定の惰性で移動している流体チャンバ２１内の流体が封止要素２９の方向へとさらに押し込む。バネ２６は、その断面厚にまで圧縮されることができるので、追加的な補償スペース３３の追加的な補償容積３３もまだ完全には、利用されていないことが理解できよう。
【００３７】
図６ａは、家具ダンパ９が取り付け位置にある家具ヒンジ４の断面図である。家具ヒンジ４は、ヒンジアーム５ａの形態の装着部５（好適にはＬ型でヒンジレバー７によってヒンジカップ６に旋回式に接続）を有する。ヒンジレバー７は、家具カップ側にて回転軸２３周囲で旋回式に取り付けられている。図６ｂは、図６ａの丸で囲んだ領域の拡大詳細図である。閉移動の端部に向かうヒンジレバー７は、スライダ１３の傾斜受面１６と接し、それを静止ピストン２２に対して移動させる。家具ダンパ９の緩衝ストローク運動は、回転軸２３に対してほぼ直角に延びている。スライダ１３は、家具ダンパ９のハウジング１２に対して押込み端位置にあるスイッチ１５ａによって拘束されることができ、よって緩衝作用が脱活性化される。
【００３８】
図７は、家具ダンパ９の長手方向の断面図である。ピストンロッド１７を備えたピストン２２は、流体チャンバ２１内に取り付けられている。流体チャンバ２１の外側に配置されており、一方が、ウジング１２の受具２４に、他方がスライダ１３の対応する受具２５に支持されている戻りバネの形態である戻り機構３０が図示されている。緩衝ストローク運動が生じると、スライダ１３は、戻り機構２６によって準備位置に再び戻される。これは、次の緩衝ストローク運動のために提供される。一方が流体チャンバ２１の端部３４に、他方がピストン２２に支持されており、このようにしてピストン２２をその準備位置に再び付勢するよう、戻りバネを流体チャンバ２１内に配置することも可能であることは理解できよう。
【００３９】
図８ａは、図４ｂの原理に対応している。印が付けられた部分は、図８ｂで拡大図として示されている。図示の状況は、緩衝プロセスの開始前である。追加的な補償スペース３３は、まだ完全に利用されていない。バネは、そのニュートラル位置にあるか、または受具要素２７と２８によって与えられた始動位置にあり、受具要素２７と２８の相対的運動によって圧縮されてはいない。
【００４０】
図９ａと図９ｂは、図８ａと図８ｂの部材を示しており、緩衝プロセスは既にさらに進行している。バネ２６は、既に圧縮されており、追加の補償スペース３３は、第１の受具２７側に移動している第２の受具要素２８によって部分的に利用されている。
【００４１】
図１０ａと図１０ｂは、図８ａと図８ｂの部材を示しており、緩衝プロセスは、終了しており、第１の受具要素２７と第２の受具要素２８は、それらの端位置に存在し、すなわち、互いに最も小さなスペース状態にある。バネ２８は、バネ２６またはバネコイルの断面厚にまで完全に圧縮されている。これは、最大の緩衝ストローク運動を提供し、スライダ１３の内部スペースは、十分な緩衝ストローク運動を提供するが、小さくてもよい。これは、特にヒンジカップ内に配置されるときに非常に有利である。
【００４２】
図１１ａと図１１ｂは、そのニュートラル状態（図１１ａ）とその圧縮状態（図１１ｂ）の円錐らせんバネの形態のバネ２６を示しており、圧縮されたバネ２６がほぼその断面厚となるよう、バネ２６がらせん形態に圧縮されている状態が示されている。
【００４３】
これは図１１ｄの側面図でも明確に示されている。一方、図１１ｃの側面図のバネ２６は、そのニュートラル状態にあるバネを示している。
【００４４】
図１１ｅは、バネ２６の平面図であり、長手軸に対して垂直な平面に対してバネ２６の突出部は、圧縮状態とは関係なく、らせん形態であることを示している。バネのバネコイルは、一方が他方内に押し込まれる形態である。
【００４５】
図面では、スライダ１３の戻り動作は、戻りバネ３３によって実行される。しかしながら、バネ２６によって戻り動作させることも可能であり、この場合、バネ２６は、戻りバネ３３を支持するか、または完全に代用する。
【００４６】
本発明は、説明した実施例に限定されず、添付の「請求の範囲」の範囲内の全ての変形および技術的均等物にまで及ぶ。上、横、などの説明で採用した位置的関係は、直接説明した図面に関するが、位置の変化に応じて適宜新規な位置に変更されるものである。
【図１】
0006013333.tif 000002
【図２ａ】
0006013333.tif 000003
【図２ｂ】
0006013333.tif 000004
【図３ａ】
0006013333.tif 000005
【図３ｂ】
0006013333.tif 000006
【図３ｃ】
0006013333.tif 000007
【図４ａ】
0006013333.tif 000008
【図４ｂ】
0006013333.tif 000009
【図５ａ】
0006013333.tif 000010
【図５ｂ】
0006013333.tif 000011
【図６ａ】
0006013333.tif 000012
【図６ｂ】
0006013333.tif 000013
【図７】
0006013333.tif 000014
【図８ａ】
0006013333.tif 000015
【図８ｂ】
0006013333.tif 000016
【図９ａ】
0006013333.tif 000017
【図９ｂ】
0006013333.tif 000018
【図１０ａ】
0006013333.tif 000019
【図１０ｂ】
0006013333.tif 000020
【図１１ａ】
0006013333.tif 000021
【図１１ｂ】
0006013333.tif 000022
【図１１ｃ】
0006013333.tif 000023
【図１１ｄ】
0006013333.tif 000024
【図１１ｅ】
0006013333.tif 000025